(57)【要約】【課題】停電等からＡＣ電源が復帰した場合でも、無駄に電力が消費されてしまうことを防止すること。【解決手段】第１の動作モードよりも省電力である第２の動作モードにおいてＡＣ電源１９０からの電力の供給が停止された後に、ＡＣ電源１９０からの電力の供給が再開された場合には、電力供給部１１０は、Ｉ／Ｆ部１５０及びメイン制御部１２０に電力を供給せずに、電源管理部１６０に電力を供給し、第１の動作モードにおいてＡＣ電源１９０からの電力の供給が停止された後に、ＡＣ電源１９０からの電力の供給が再開された場合には、電力供給部１１０は、電源管理部１６０、メイン制御部１２０及びＩ／Ｆ部１５０に電力を供給する。【選択図】図１
2015157394.tif 000002
【特許請求の範囲】
【請求項１】
第１の動作モードと、当該第１の動作モードよりも省電力の第２の動作モードとで動作する画像形成装置であって、
画像形成データを受信するインターフェース部と、
前記インターフェース部で受信された画像形成データに基づいて、画像の形成を行う画像形成部と、
前記インターフェース部及び前記画像形成部を制御するメイン制御部と、
外部電源からの電力を前記画像形成装置の内部に供給する電力供給部と、
前記電力供給部を制御する電源管理部と、を備え、
前記第２の動作モードにおいて前記外部電源からの電力の供給が停止された後に、前記外部電源からの電力の供給が再開された場合には、前記電力供給部は、前記インターフェース部及び前記メイン制御部に電力を供給せずに、前記電源管理部に電力を供給し、
前記第１の動作モードにおいて前記外部電源からの電力の供給が停止された後に、前記外部電源からの電力の供給が再開された場合には、前記電力供給部は、前記電源管理部、前記インターフェース部及び前記メイン制御部に電力を供給すること
を特徴とする画像形成装置。
【請求項２】
前記第２の動作モードは、前記画像形成部、前記メイン制御部及び前記インターフェース部に、前記電力供給部から電力を供給しないオフモードであること
を特徴とする請求項１に記載の画像形成装置。
【請求項３】
前記第１の動作モードは、
前記画像形成部に、前記電力供給部から電力を供給せずに、前記インターフェース部、前記メイン制御部及び前記電源管理部に、前記電力供給部から電力を供給するスリープモードと、
前記画像形成部、前記インターフェース部、前記メイン制御部及び前記電源管理部に、前記電力供給部から電力を供給する待機モードと、を含むこと
を特徴とする請求項１又は２に記載の画像形成装置。
【請求項４】
前記電力供給部から前記画像形成部への電力の供給を遮断する電力供給遮断部をさらに備え、
前記スリープモードにおいては、前記電力供給遮断部は、前記電力供給部から前記画像形成部への電力の供給を遮断し、
前記待機モードにおいては、前記電力供給遮断部は、前記電力供給部から前記画像形成部への電力の供給を遮断しないこと
を特徴とする請求項３に記載の画像形成装置。
【請求項５】
前記電力供給部は、
前記電源管理部に電力を供給するサブ電力供給部と、
前記インターフェース部、前記メイン制御部及び前記画像形成部に電力を供給するメイン電力供給部と、
前記外部電源から前記メイン電力供給部へ供給する電力を遮断する電源遮断部と、を備え、
前記第１の動作モードにおいては、前記電源遮断部は、前記外部電源から前記メイン電力供給部への電力の供給を遮断せず、
前記第２の動作モードにおいては、前記電源遮断部は、前記外部電源から前記メイン電力供給部への電力の供給を遮断すること
を特徴とする請求項１から４の何れか一項に記載の画像形成装置。
【請求項６】
前記電源管理部は、
前記画像形成装置の動作モードを示す動作モード情報を記憶する動作モード記憶部と、
前記電源遮断部を制御する電源制御部と、を備え、
前記外部電源からの電力の供給が再開された際に、前記動作モード記憶部に記憶されている動作モード情報が前記第１の動作モードを示す場合には、前記電源制御部は、前記電源遮断部に、前記外部電源から前記メイン電力供給部への電力の供給を遮断させず、
前記外部電源からの電力の供給が再開された際に、前記動作モード記憶部に記憶されている動作モード情報が前記第２の動作モードを示す場合には、前記電源制御部は、前記電源遮断部に、前記外部電源から前記メイン電力供給部への電力の供給を遮断させること
を特徴とする請求項５に記載の画像形成装置。
【請求項７】
前記電源管理部は、操作の入力を受け付ける電源スイッチ部をさらに備え、
前記第１のモードにおいて前記電源スイッチ部が操作の入力を受け付けた場合には、前記電源制御部は、前記電源遮断部に、前記外部電源から前記メイン電力供給部への電力の供給を遮断させて、前記画像形成装置を前記第２の動作モードへ移行させ、
前記第２のモードにおいて前記電源スイッチ部が操作の入力を受け付けた場合には、前記電源制御部は、前記電源遮断部に、前記外部電源から前記メイン電力供給部への電力の供給を遮断させずに、前記画像形成装置を前記第１の動作モードへ移行させること
を特徴とする請求項６に記載の画像形成装置。
【請求項８】
第１の動作モードと、当該第１の動作モードよりも省電力の第２の動作モードとで動作する画像形成装置であって、
画像形成データを受信するインターフェース部と、
前記インターフェース部で受信された画像形成データに基づいて、画像の形成を行う画像形成部と、
前記インターフェース部及び前記画像形成部を制御するメイン制御部と、
外部電源からの電力を前記画像形成装置の内部に供給する電力供給部と、
前記電力供給部を制御するとともに、操作の入力を受け付ける電源管理部と、を備え、
前記電源管理部が操作の入力を受け付けることで前記画像形成装置が前記第２の動作モードに移行した状態において、前記外部電源からの電力の供給が停止された後に、前記外部電源からの電力の供給が再開された場合には、前記電力供給部は、前記インターフェース部及び前記メイン制御部に電力を供給せずに、前記電源管理部に電力を供給し、
前記画像形成装置が予め定められた時間予め定められた動作を行わなかったことで、前記画像形成装置が前記第２の動作モードに移行した状態において、前記外部電源からの電力の供給が停止された後に、前記外部電源からの電力の供給が再開された場合には、前記電力供給部は、前記電源管理部、前記インターフェース部及び前記メイン制御部に電力を供給し、
前記第１の動作モードにおいて前記外部電源からの電力の供給が停止された後に、前記外部電源からの電力の供給が再開された場合には、前記電力供給部は、前記電源管理部、前記インターフェース部及び前記メイン制御部に電力を供給すること
を特徴とする画像形成装置。
【発明の詳細な説明】
【技術分野】
【０００１】
本発明は、画像形成装置に関する。
【背景技術】
【０００２】
従来から、例えば、特許文献１に記載されている画像処理装置のように、一定時間動作が行なわれなかった場合に、動作モードを電力消費が少ない省電力モードに移行させる技術が知られている。
【先行技術文献】
【特許文献】
【０００３】
【特許文献１】特開２００９−１７８８５５号公報
【発明の概要】
【発明が解決しようとする課題】
【０００４】
しかしながら、従来の技術は、停電等で外部電源（ＡＣ電源）が遮断された場合のように、使用状況を監視できないときは、動作モードの制御を行なうことができない。従って、従来の技術は、外部電源からの通電再開後、遮断前の動作モードに関わらず、省電力モードよりも電力消費が多い通常モードで起動していた。このため、従来の技術では、通常モードで起動された後に、引き続き動作が行なわれない場合には、無駄に電力が消費されていた。
【０００５】
そこで、本発明は、停電等から外部電源が復帰した場合でも、無駄に電力が消費されてしまうことを防止することを目的とする。
【課題を解決するための手段】
【０００６】
本発明の一態様に係る画像形成装置は、第１の動作モードと、当該第１の動作モードよりも省電力の第２の動作モードとで動作する画像形成装置であって、画像形成データを受信するインターフェース部と、前記インターフェース部で受信された画像形成データに基づいて、画像の形成を行う画像形成部と、前記インターフェース部及び前記画像形成部を制御するメイン制御部と、外部電源からの電力を前記画像形成装置の内部に供給する電力供給部と、前記電力供給部を制御する電源管理部と、を備え、前記第２の動作モードにおいて前記外部電源からの電力の供給が停止された後に、前記外部電源からの電力の供給が再開された場合には、前記電力供給部は、前記インターフェース部及び前記メイン制御部に電力を供給せずに、前記電源管理部に電力を供給し、前記第１の動作モードにおいて前記外部電源からの電力の供給が停止された後に、前記外部電源からの電力の供給が再開された場合には、前記電力供給部は、前記電源管理部、前記インターフェース部及び前記メイン制御部に電力を供給することを特徴とする。
【０００７】
また、本発明の他の態様に係る画像形成装置は、第１の動作モードと、当該第１の動作モードよりも省電力の第２の動作モードとで動作する画像形成装置であって、画像形成データを受信するインターフェース部と、前記インターフェース部で受信された画像形成データに基づいて、画像の形成を行う画像形成部と、前記インターフェース部及び前記画像形成部を制御するメイン制御部と、外部電源からの電力を前記画像形成装置の内部に供給する電力供給部と、前記電力供給部を制御するとともに、操作の入力を受け付ける電源管理部と、を備え、前記電源管理部が操作の入力を受け付けることで前記画像形成装置が前記第２の動作モードに移行した状態において、前記外部電源からの電力の供給が停止された後に、前記外部電源からの電力の供給が再開された場合には、前記電力供給部は、前記インターフェース部及び前記メイン制御部に電力を供給せずに、前記電源管理部に電力を供給し、前記画像形成装置が予め定められた時間予め定められた動作を行わなかったことで、前記画像形成装置が前記第２の動作モードに移行した状態において、前記外部電源からの電力の供給が停止された後に、前記外部電源からの電力の供給が再開された場合には、前記電力供給部は、前記電源管理部、前記インターフェース部及び前記メイン制御部に電力を供給し、前記第１の動作モードにおいて前記外部電源からの電力の供給が停止された後に、前記外部電源からの電力の供給が再開された場合には、前記電力供給部は、前記電源管理部、前記インターフェース部及び前記メイン制御部に電力を供給することを特徴とする。
【発明の効果】
【０００８】
本発明の一態様によれば、停電等から外部電源が復帰した場合でも、無駄に電力が消費されてしまうことを防止することができる。
【図面の簡単な説明】
【０００９】
【図１】画像形成装置の構成を概略的に示すブロック図である。
【図２】画像形成装置における動作モードと、停電等によりＡＣ電源から電力が供給されなくなった通電無しの状態とを説明するための概略図である。
【図３】スリープモード移行時のフローチャートを示す概略図である。
【図４】オフモード移行時のフローチャートを示す概略図である。
【図５】ＡＣ電源の入力時のフローチャート（その１）を示す概略図である。
【図６】ＡＣ電源の入力時のフローチャート（その２）を示す概略図である。
【発明を実施するための形態】
【００１０】
（構成の説明）
図１は、実施の形態に係る画像形成装置１００の構成を概略的に示すブロック図である。
画像形成装置１００は、電力供給部１１０と、メイン制御部１２０と、電力供給遮断部１３０と、画像形成部１４０と、インターフェース部（以下、Ｉ／Ｆ部という）１５０と、電源管理部１６０とを備える。
【００１１】
電力供給部１１０は、外部電源であるＡＣ電源１９０から電力の供給を受けて、画像形成装置１００の内部に電力を供給する。ここで、電力供給部１１０は、電源管理部１６０からの指示に応じて、電力を供給する部分を切り替える。
電力供給部１１０は、サブ電力供給部１１１と、電源遮断部１１２と、メイン電力供給部１１３とを備える。
サブ電力供給部１１１は、ＡＣ電源１９０から電力の供給を受けて、電源管理部１６０に電力を供給する。サブ電力供給部１１１は、消費電力の大きい画像形成部１４０及びメイン制御部１２０へ電力を供給しないため、低負荷時の電源効率を重視した小容量のものであればよい。
【００１２】
電源遮断部１１２は、電源管理部１６０からの指示に応じて、ＡＣ電源１９０からメイン電力供給部１１３へ供給する電力を遮断する。言い換えると、電源遮断部１１２が、ＡＣ電源１９０からメイン電力供給部１１３へ供給する電力を遮断している場合（オフ状態）では、ＡＣ電源１９０からメイン電力供給部１１３へ電力が供給されず、電源遮断部１１２が、ＡＣ電源１９０からメイン電力供給部１１３へ供給する電力を遮断していない場合（オン状態）では、ＡＣ電源１９０からメイン電力供給部１１３へ電力が供給される。例えば、電源遮断部１１２は、リレーにより構成されており、電源管理部１６０からの信号がＨである場合には、ＡＣ電源１９０からメイン電力供給部１１３へ電力を供給し、その信号がＬである場合には、ＡＣ電源１９０からメイン電力供給部１１３へ電力の供給を遮断する。
メイン電力供給部１１３は、ＡＣ電源１９０からの電力の供給を受けて、動作モードに応じて、メイン制御部１２０及びＩ／Ｆ部１５０、又は、メイン制御部１２０、画像形成部１４０及びＩ／Ｆ部１５０に電力を供給する。メイン電力供給部１１３は、消費電力の大きい画像形成部１４０及びメイン制御部１２０へ電力を供給するため、高負荷時の電源効率を重視した大容量のものである。言い換えると、メイン電力供給部１１３が供給する電力は、サブ電力供給部１１１が供給する電力よりも大きくなる。
【００１３】
メイン制御部１２０は、電力供給遮断部１３０、画像形成部１４０及びＩ／Ｆ部１５０を制御し、画像形成装置１００での処理を実行する。例えば、メイン制御部１２０は、画像形成装置１００の起動（初期化）及び停止処理、画像形成装置１００での画像形成処理及び画像形成装置１００の動作モードの切換処理を制御する。
メイン制御部１２０は、画像形成制御部１２１と、動作モード切換部１２２とを備える。
画像形成制御部１２１は、画像形成部１４０及びＩ／Ｆ部１５０を制御する。例えば、画像形成制御部１２１は、画像形成部１４０に電力が供給された際に、画像形成部１４０を初期化（イニシャライズ）し、並びに、画像形成１４０への電力の供給を停止する際に、画像形成部１４０を停止させる。また、画像形成制御部１２１を、画像形成部１４０を制御することで、紙等の媒体に画像を形成（印刷）させる。さらに、画像形成制御部１２１は、Ｉ／Ｆ部１５０を制御して、画像形成データを取得する。
【００１４】
動作モード切換部１２２は、画像形成装置１００が動作する動作モードを切り替える。本実施の形態においては、動作モードは、オフモード、スリープモード及び待機モードである。
図２は、画像形成装置１００における動作モードと、停電等によりＡＣ電源１９０から電力が供給されなくなった通電無しの状態とを説明するための概略図である。
図２に示されているように、動作モードがオフモードの場合には、サブ電力供給部１１１及び電源管理部１６０に電力が供給され、メイン電力供給部１１３、メイン制御部１２０、Ｉ／Ｆ部１５０及び画像形成部１４０には、電力が供給されない。オフモードでは、電源管理部１６０に電力が供給されるため、電源管理部１６０による電源の管理、言い換えると、電力供給部１１０の制御が行われる。動作モードがスリープモードの場合には、メイン電力供給部１１３、サブ電力供給部１１１、電源管理部１６０、メイン制御部１２０及びＩ／Ｆ部１５０に電力が供給され、画像形成部１４０には、電力が供給されない。スリープモードでは、Ｉ／Ｆ部１５０に電力が供給されるため、図示しないホストＰＣからの画像形成データを受信することができる。動作モードが待機モードの場合には、メイン電力供給部１１３、サブ電力供給部１１１、電源管理部１６０、メイン制御部１２０、Ｉ／Ｆ部１５０及び画像形成部１４０に電力が供給される。待機モードでは、画像形成部１４０に電力が供給されるため、センサー監視、余熱動作等が行われる。なお、通電無しの場合には、メイン電力供給部１１３、サブ電力供給部１１１、電源管理部１６０、メイン制御部１２０、Ｉ／Ｆ部１５０及び画像形成部１４０に電力が供給されない。
【００１５】
ここで、画像形成装置１００の電源のオンとオフによって、画像形成装置１００の動作モードは、オフモードとしての第１の動作モードと、オンモード（スリープモード及び待機モード）としての第２の動作モードとに分けられる。そして、本実施の形態では、第２の動作モードにおいてＡＣ電源１９０からの電力の供給が停止された後に、その供給が再開された場合には、電力供給部１１０は、Ｉ／Ｆ部１５０及びメイン制御部１２０に電力を供給せずに、電源管理部１６０に電力を供給する第２の動作モードに復帰する。また、第１の動作モードにおいてＡＣ電源１９０からの電力の供給が停止された後に、その供給が再開された場合には、電力供給部１１０は、電源管理部１６０、メイン制御部１２０及びＩ／Ｆ部１５０に電力を供給する第１のモードに復帰する。
【００１６】
図１の説明に戻り、動作モード切換部１２２は、上記の動作モードに従って、電力供給遮断部１３０に指示することにより、電力供給部１１０から画像形成部１４０への電力の供給を制御（オン又はオフ）する。具体的には、動作モード切換部１２２は、動作モードがスリープモードの場合には、画像形成部１４０への電力の供給を遮断するように電力供給遮断部１３０に指示する。一方、動作モードが待機モードである場合には、画像形成部１４０への電力の供給を遮断しないように、電力供給遮断部１３０に指示する。
電力供給遮断部１３０は、動作モード切換部１２２からの指示に応じて、メイン電力供給部１１３から画像形成部１４０への電力の供給を遮断する。言い換えると、電力供給遮断部１３０が、メイン電力供給部１１３から画像形成部１４０へ供給する電力を遮断している場合（オフ状態）では、メイン電力供給部１１３から画像形成部１４０へ電力が供給されない。一方、電力供給遮断部１３０が、メイン電力供給部１１３から画像形成部１４０へ供給する電力を遮断していない場合（オン状態）では、メイン電力供給部１１３から画像形成部１４０へ電力が供給される。例えば、電力供給遮断部１３０も、リレーにより構成されており、動作モード切換部１２２からの信号がＨである場合には、メイン電力供給部１１３から画像形成部１４０へ電力を供給し、その信号がＬである場合には、メイン電力供給部１１３から画像形成部１４０への電力の供給を遮断する。
【００１７】
画像形成部１４０は、紙等の媒体に画像を形成する。例えば、画像形成部１４０は、Ｉ／Ｆ部１５０が受信した画像形成データに基づいて、画像を形成する。画像形成部１４０は、エンジン部１４１と、プロセス部１４２とを備える。
エンジン部１４１は、モーター、クラッチ、ＦＡＮ等のアクチュエーターで構成され、媒体の搬送、装置の冷却等を行う。
プロセス部１４２は、現像ユニット、定着ユニット等で構成され、媒体への画像形成及び定着等を行う。
Ｉ／Ｆ部１５０は、データの送受信を行う。例えば、Ｉ／Ｆ部１５０は、図示しないホストＰＣからの画像形成データ（印刷データ）の受信等を行う。
【００１８】
電源管理部１６０は、電力供給部１１０を制御する。電源管理部１６０は、電源スイッチ部１６１と、サブ制御部１６２とを備える。
電源スイッチ部１６１は、操作の入力を受け付ける。例えば、電源スイッチ部１６１は、ユーザから電源のオン又はオフを指示する操作の入力を受け付ける。
サブ制御部１６２は、電源スイッチ部１６１の監視、及び、電力供給部１１０の制御を行う。例えば、サブ制御部１６２は、メイン電力供給部１１３からの電力の供給のオン又はオフを制御する。なお、サブ制御部１６２は、サブ電力供給部１１１から電力の供給を受けて動作する。サブ制御部１６２は、動作モード記憶部１６３と、電源制御部１６４とを備える。
【００１９】
動作モード記憶部１６３は、画像形成装置１００の動作モードを示す動作モード情報を記憶する。上述のように、画像形成装置１００の動作モードは、オフモード、スリープモード及び待機モードであり、動作モード情報で示される動作モードは、画像形成装置１００の現在の動作モードである。なお、動作モード記憶部１６３は、不揮発性のメモリにより実現することができる。
電源制御部１６４は、動作モード記憶部１６３に記憶されている動作モード情報を更新するとともに、動作モード記憶部１６３に記憶されている動作モード情報で示される動作モードに応じて、メイン電力供給部１１３からの電力の供給を制御（オン又はオフ）する。例えば、電源制御部１６４は、動作モード記憶部１６３に記憶されている動作モード情報がオフモードを示す場合には、メイン電力供給部１１３からの電力の供給をオフにする。一方、電源制御部１６４は、動作モード記憶部１６３に記憶されている動作モード情報がスリープモード又は待機モードを示す場合には、メイン電力供給部１１３からの電力の供給をオンにする。ここで、サブ制御部１６２は、メイン電力供給部１１３からの電力の供給をオンにする場合には、電源遮断部１１２への出力信号をＨにし、メイン電力供給部１１３からの電力の供給をオフにする場合には、電源遮断部１１２への出力信号をＬにする。
【００２０】
（動作の説明）
図３は、スリープモード移行時のフローチャートを示す概略図である。図３のフローチャートは、スタート時に、画像形成装置１００の動作モードがスリープモード又は待機モードであることを前提とする。
画像形成制御部１２１は、Ｉ／Ｆ部１５０がホストＰＣから画像形成データを受信したか否かを判断する（Ｓ１０）。画像形成データを受信した場合（Ｓ１０でＹｅｓ）には、処理はステップＳ１１に進み、画像形成データを受信していない場合（Ｓ１０でＮｏ）には、処理はステップＳ１５に進む。
【００２１】
ステップＳ１１では、動作モード切換部１２２は、画像形成装置１００の動作モードがスリープモードであるか否かを判断する。例えば、動作モード切換部１２２は、電源制御部１６４に動作モードを問い合わせる。このような問い合わせに対して、電源制御部１６４は、動作モード記憶部１６３に記憶されている動作モード情報が示す動作モードを回答する。そして、動作モード切換部１２２は、電源制御部１６４からの回答により、画像形成装置１００の動作モードを把握する。動作モードがスリープモードである場合（Ｓ１１でＹｅｓ）には、処理はステップＳ１２に進み、動作モードがスリープモードではない場合（Ｓ１１でＮｏ）には、処理はステップＳ１４に進む。
【００２２】
ステップＳ１２では、動作モード切換部１２２は、Ｉ／Ｆ部１５０で受信された画像形成データの処理を行うために、動作モードをスリープモードから待機モードに移行させる。例えば、動作モード切換部１２２は、電力供給遮断部１３０に指示することで、画像形成部１４０のエンジン部１４１及びプロセス部１４２に電力を供給させる。そして、動作モード切換部１２２は、画像形成制御部１２１に画像形成部１４０のイニシャル処理を指示し、このような指示を受けた画像形成制御部１２１は、画像形成部１４０への電力の供給開始後、画像形成部１４０のイニシャル処理（余熱動作等）を行う。
また、動作モード切換部１２２は、電源制御部１６４に動作モードをスリープモードから待機モードに更新するよう指示する（Ｓ１３）。このような指示を受けた電源制御部１６４は、動作モード記憶部１６３に記憶されている動作モード情報を更新する。
【００２３】
画像形成制御部１２１は、Ｉ／Ｆ部１５０で受信された画像形成データに基づいて、画像形成部１４０に画像形成を実行させる（Ｓ１４）。
そして、画像形成制御部１２１は、ステップＳ１４における画像形成の完了後、画像形成データが受信されずに予め定められた時間が経過したか否かを判断する（Ｓ１５）。予め定められた時間が経過した場合（Ｓ１５でＹｅｓ）には、処理はステップＳ１６に進む。
【００２４】
ステップＳ１６では、動作モード切換部１２２は、画像形成装置１００の電力消費を少なくするために、動作モードを待機モードからスリープモードに移行させる。例えば、動作モード切換部１２２は、画像形成制御部１２１に画像形成部１４０の停止処理を指示し、このような指示を受けた画像形成制御部１２１は、画像形成部１４０への電力の供給をオフにしてもよいように、画像形成部１４０を停止させる。そして、動作モード切換部１２２は、画像形成部１４０の停止完了後、電力供給遮断部１３０に指示することで、画像形成部１４０のエンジン部１４１及びプロセス部１４２への電力の供給を遮断させる。
また、動作モード切換部１２２は、電源制御部１６４に動作モードを待機モードからスリープモードに更新するよう指示する（Ｓ１７）。このような指示を受けた電源制御部１６４は、動作モード記憶部１６３に記憶されている動作モード情報を更新する。
【００２５】
図４は、オフモード移行時のフローチャートを示す概略図である。図４のフローチャートは、スタート時に、画像形成装置１００の動作モードがスリープモード又は待機モードであることを前提とする。
電源制御部１６４は、電源スイッチ部１６１が押下されたか否かを判断する（Ｓ２０）。電源スイッチ部１６１が押下された場合（Ｓ２０でＹｅｓ）には、処理はステップＳ２１に進む。
ステップＳ２１では、電源制御部１６４は、画像形成制御部１２１にオフモードへの移行を指示する。このような指示を受けた画像形成制御部１２１は、画像形成部１４０及びＩ／Ｆ部１５０への電力の供給をオフにしてもよいように、画像形成部１４０及びＩ／Ｆ部１５０が起動している場合には、画像形成部１４０及びＩ／Ｆ部１５０を停止させる。そして、画像形成制御部１２１は、オフモードへの移行準備が完了したら、その旨を電源制御部１６４に通知する。
このような通知を受けた電源制御部１６４は、動作モード記憶部１６３に記憶されている動作モード情報が示す動作モードを待機モード又はスリープモードからオフモードに更新する（Ｓ２２）。
動作モードの更新が完了したら、電源制御部１６４は、画像形成装置１００の動作モードをオフモードに移行させる。例えば、電源制御部１６４は、電源遮断部１１２に電力供給の停止を指示し、このような指示に応じて、電源遮断部１１２は、ＡＣ電源１９０からの電力の供給を遮断する（Ｓ２３）。これにより、メイン電力供給部１１３には、ＡＣ電源１９０からの電力の供給が遮断され、メイン電力供給部１１３は、メイン制御部１２０、画像形成部１４０及びＩ／Ｆ部１５０への電力の供給を停止する。
【００２６】
図５及び図６は、ＡＣ電源１９０の入力時のフローチャートを示す概略図である。図５のフローチャートは、停電等により停止されていたＡＣ電源１９０の入力が開始された場合にスタートする。
ＡＣ電源１９０から電力が供給されると、サブ電力供給部１１１は、電源管理部１６０に電力を供給する（Ｓ３０）。この際、電源遮断部１１２は、電源制御部１６４からの指示を受けていないため、ＡＣ電源１９０からメイン電力供給部１１３への電力の供給を遮断する。
【００２７】
電力が供給されると、電源制御部１６４は、オフモードで起動して、起動完了後に、動作モード記憶部１６３に記憶されている動作モード情報が示す動作モードを確認する（Ｓ３１）。ここで、動作モード記憶部１６３に記憶されている動作モード情報が示す動作モードは、ＡＣ電源１９０からの電力の供給が停止する前の最終動作モードである。そして、電源制御部１６４は、最終動作モードがオフモードであるか否かを判断する（Ｓ３２）。最終動作モードがオフモードである場合（Ｓ３２でＹｅｓ）には、処理はステップＳ３３に進み、最終動作モードがオフモードではない場合（Ｓ３２でＮｏ）には、処理はステップＳ３９に進む。
【００２８】
ステップＳ３３では、電源制御部１６４は、ＡＣ電源１９０からの電力の供給が停止される前の最終動作モードがオフモードであったため、オフモードでの動作を維持する。オフモードでは、電源制御部１６４は、電源スイッチ部１６１の監視を行う（Ｓ３４）。
そして、電源制御部１６４が電源スイッチ部１６１の押下を検知すると（Ｓ３４でＹｅｓ）、処理はステップＳ３５に進む。ステップＳ３５〜Ｓ３７により、動作モードは、オフモードから待機モードに移行される。
【００２９】
ステップＳ３５では、電源制御部１６４は、メイン電力供給部１１３からの電力の供給を開始させる。例えば、電源制御部１６４は、電源遮断部１１２に電力の供給を指示し、このような指示に応じて、電源遮断部１１２は、ＡＣ電源１９０からの電力の供給をオン状態にする。これにより、メイン電力供給部１１３には、ＡＣ電源１９０から電力が供給され、メイン電力供給部１１３は、メイン制御部１２０及びＩ／Ｆ部１５０へ電力を供給する。
【００３０】
次に、電源制御部１６４は、動作モード切換部１２２に待機モードでの起動を指示する（Ｓ３６）。
このような指示を受けた動作モード切換部１２２は、待機モードで起動する（Ｓ３７）。例えば、動作モード切換部１２２は、電力供給遮断部１３０に指示することで、画像形成部１４０のエンジン部１４１及びプロセス部１４２に電力を供給させる。そして、動作モード切換部１２２は、画像形成制御部１２１に画像形成部１４０のイニシャル処理を指示する。このような指示を受けた画像形成制御部１２１は、画像形成部１４０への電力の供給開始後、画像形成部１４０のイニシャル処理を行う。
そして、動作モード切換部１２２は、電源制御部１６４に動作モードをオフモードから待機モードに更新するよう指示する（Ｓ３８）。このような指示を受けた電源制御部１６４は、動作モード記憶部１６３に記憶されている動作モード情報を更新する。
【００３１】
ステップＳ３２において、最終動作モードがオフモードではない場合（Ｓ３２でＮｏ）には、ステップＳ３９に進み、電源制御部１６４は、最終動作モードがスリープモードであるか否かを判断する。最終動作モードがスリープモードである場合（Ｓ３９でＹｅｓ）には、処理はステップＳ４０に進み、最終動作モードがスリープモードではない場合（Ｓ３９でＮｏ）には、処理は図６のステップＳ４３に進む。
【００３２】
ステップＳ４０では、電源制御部１６４は、メイン電力供給部１１３からの電力の供給を開始させる。例えば、電源制御部１６４は、電源遮断部１１２に電力の供給を指示し、このような指示に応じて、電源遮断部１１２は、ＡＣ電源１９０からの電力の供給をオンにする。これにより、メイン電力供給部１１３には、ＡＣ電源１９０から電力が供給され、メイン電力供給部１１３は、メイン制御部１２０及びＩ／Ｆ部１５０へ電力を供給する。
【００３３】
次に、電源制御部１６４は、動作モード切換部１２２にスリープモードでの起動を指示する（Ｓ４１）。
このような指示を受けた動作モード切換部１２２は、スリープモードで起動する（Ｓ４２）。例えば、動作モード切換部１２２は、電力供給遮断部１３０に指示することで、画像形成部１４０のエンジン部１４１及びプロセス部１４２への電力の供給を遮断したままにする。従って、メイン電力供給部１１３からの電力は、メイン制御部１２０とＩ／Ｆ部１５０に供給されることとなる。
【００３４】
ステップＳ３９において、最終動作モードがスリープモードではない場合（Ｓ３９でＮｏ）には、ステップＳ４３に進み、電源制御部１６４は、最終動作モードが待機モードであるか否かを判断する。最終動作モードが待機モードである場合（Ｓ４３でＹｅｓ）には、処理はステップＳ４４に進み、最終動作モードが待機モードではない場合（Ｓ４３でＮｏ）には、処理は図５のステップＳ３３に進む。なお、ステップＳ４３でＮｏと判断された場合には、動作モード記憶部１０３に動作モード情報が記憶されていないこととなるため、電源制御部１６４は、動作モード記憶部１０３にオフモードを示す動作モード情報を記憶させてから、ステップＳ３３に進む。
【００３５】
ステップＳ４４では、電源制御部１６４は、メイン電力供給部１１３からの電力の供給を開始させる。例えば、電源制御部１６４は、電源遮断部１１２に電力の供給を指示し、このような指示に応じて、電源遮断部１１２は、ＡＣ電源１９０からの電力の供給をオンにする。これにより、メイン電力供給部１１３には、ＡＣ電源１９０から電力が供給され、メイン電力供給部１１３は、メイン制御部１２０及びＩ／Ｆ部１５０へ電力を供給する。
【００３６】
次に、電源制御部１６４は、動作モード切換部１２２に待機モードでの起動を指示する（Ｓ４５）。
このような指示を受けた動作モード切換部１２２は、待機モードで起動する（Ｓ４６）。例えば、動作モード切換部１２２は、電力供給遮断部１３０に指示することで、画像形成部１４０のエンジン部１４１及びプロセス部１４２に電力を供給させる。そして、動作モード切換部１２２は、画像形成制御部１２１に画像形成部１４０のイニシャル処理を指示する。このような指示を受けた画像形成制御部１２１は、画像形成部１４０への電力の供給開始後、画像形成部１４０のイニシャル処理を行う。
【００３７】
以上に記載された実施の形態では、メイン制御部１２０よりも低消費電力で動作可能な電源管理部１６０を設け、画像形成装置１００の動作モードを示す動作モード情報を記憶する構成とした。このため、停電等からの復帰時のように、ＡＣ電源１９０からの電力の供給がオフ及びオンにされた場合であっても、無駄に電力を消費することなく、画像形成装置１００を停電前の状態に復帰させることが可能となる。
【００３８】
以上に記載された実施の形態では、動作モードとして、待機モード、スリープモード及びオフモードの３つを用いて説明したが、より多くの動作モードを備える構成であってもよい。
【００３９】
また、以上に記載された実施の形態は、電源スイッチ部１６１が押下されることにより、オフモードへ移行するように構成されているが、このような例に限定されるものではない。例えば、動作モードがスリープモードになってから、予め定められた時間、予め定められた動作が行われなかったと画像形成制御部１２１が判断した場合には、動作モード切換部１２２が動作モードをスリープモードからオフモードに移行させるオートオフ機能を備えていてもよい。
このような場合、動作モードとして電源スイッチ部１６１の操作によるオフモードと、オートオフによるオフモードとを別の動作モードとして、ＡＣ電源１９０からの電力供給の復帰時における動作が切り替えられてもよい。例えば、電源制御部１６４は、電源スイッチ部１６１の操作により移行されたオフモードと、動作モード切換部１２２の判断により移行されたオフモード（オートオフ）とを区別した動作モード情報を動作モード記憶部１６３に記憶させておく。そして、ＡＣ電源１９０からの電力の入力時において、最終動作モードが電源スイッチ部１６１の操作により移行されたオフモードである場合には、電源制御部１６４はオフモードで起動を行う。一方、最終動作モードが動作モード切換部１２２の判断により移行されたオフモード（オートオフ）である場合には、電源制御部１６４は、電源遮断部１１２に指示することで、メイン電力供給部１１３から電力を供給させて、動作モード切換部１２２に待機モードでの起動を指示する。このような指示を受けた動作モード切換部１２２は、待機モードで起動する。
【符号の説明】
【００４０】
１００  画像形成装置、  １１０  電力供給部、  １１１  サブ電力供給部、  １１２  電源遮断部、  １１３  メイン電力供給部、  １２０  メイン制御部、  １２１  画像形成制御部、  １２２  動作モード切換部、  １３０  電力供給遮断部、  １４０  画像形成部、  １４１  エンジン部、  １４２  プロセス部、  １５０  インターフェース部、  １６０  電源管理部、  １６１  電源スイッチ部、  １６２  サブ制御部、  １６３  動作モード記憶部、  １６４  電源制御部。
【図１】
2015157394.tif 000003
【図２】
2015157394.tif 000004
【図３】
2015157394.tif 000005
【図４】
2015157394.tif 000006
【図５】
2015157394.tif 000007
【図６】
2015157394.tif 000008